(57)【要約】  本実施形態では、ＢＳは、ＵＥにサービスを提供し、セル間干渉を調整するために非正規サブフレームを使用し、非正規サブフレームの送信電力は、正規サブフレームの送信電力よりも低い、ＵＥをスケジューリングするための方法及び装置である。本発明の実施形態に係る方法においては、非正規サブフレームにおけるチャネル品質情報は、ダウンリンクパケット及び基準信号の送信電力に関する情報に基づいて、調整される。ターゲットＭＣＳは、ＢＳが非正規サブフレームにおけるターゲットＭＣＳに基づいてＵＥをスケジューリングするために、調整されたチャネル品質情報にしたがって決定される。【選択図】図３
2015505197.tif 000002
【特許請求の範囲】
【請求項１】
基地局（ＢＳ）は、ユーザ機器（ＵＥ）にサービスを提供し、セル間干渉を調整するために非正規サブフレームを使用し、前記非正規サブフレームの送信電力は、正規サブフレームの送信電力よりも低い、前記ＵＥをスケジューリングするための装置であって、
ダウンリンクパケット及び基準信号の送信電力に関する情報に基づいて、前記非正規サブフレームにおけるチャネル品質情報を調整するために構成された調整部と、
前記ＢＳが前記非正規サブフレームにおけるターゲット変調符号化方式（ＭＣＳ）に基づいて前記ＵＥをスケジューリングするために、調整された前記チャネル品質情報に係る前記ターゲットＭＣＳを決定するために構成された決定部と、
を備える、前記ＵＥをスケジューリングするための装置。
【請求項２】
前記調整部は、
前記ＢＳから前記ＵＥに対する送信における信号対干渉雑音比（ＳＩＮＲ）を取得するために構成された取得手段と、
ダウンリンクパケット及び基準信号の送信電力に関する前記情報に基づいて、前記ＳＩＮＲを調整するために構成された調整手段と、
を有する、請求項１に記載の装置。
【請求項３】
前記取得手段は、
前記ＵＥによって測定されたチャネル品質標識（ＣＱＩ）を受信するために構成された手段と、
前記受信されたＣＱＩに対応する前記ＳＩＮＲを取得するために構成された手段と、
を有する、請求項２に記載の装置。
【請求項４】
前記取得手段は、
前記ＢＳから基準信号を受信するために構成された手段と、
前記受信された基準信号に基づいて前記ＳＩＮＲを測定するために構成された手段と、
を有する、請求項２に記載の装置。
【請求項５】
前記決定部は、
調整された前記チャネル品質情報に基づいて、ＣＱＩ−ＭＣＳ変換テーブルから候補ＭＣＳを選択するために構成された選択手段と、
前記候補ＭＣＳと電力制御動的範囲とに基づいて前記ターゲットＭＣＳを決定するために構成された決定手段と、
を有し、
前記電力制御動的範囲は、少なくとも１つの変調方式における少なくとも１つの動的レベルを含む請求項１に記載の装置。
【請求項６】
前記決定手段は、
前記電力制御範囲と、ダウンリンクパケット及び基準信号の送信電力に関する前記情報と、を比較するために構成された手段と、
ダウンリンクパケット及び基準信号の送信電力に関する前記情報が前記電力制御範囲を超えていることに応じて、前記ターゲットＭＣＳとして前記ＣＱＩ−ＭＣＳ変換テーブル内で最も少ない要件を有するＭＣＳを決定し、
ダウンリンクパケット及び基準信号の送信電力に関する前記情報が前記電力制御範囲を超えていないことに応じて、
ダウンリンクパケット及び基準信号の送信電力に関する前記情報が前記候補ＭＣＳの変調方式における前記動的レベルを超えていないならば、前記ターゲットＭＣＳとして前記候補ＭＣＳを決定し、
ダウンリンクパケット及び基準信号の送信電力に関する前記情報が前記候補ＭＣＳの変調方式における前記動的レベルを超えているならば、前記ターゲットＭＣＳとして前記ＣＱＩ−ＭＣＳ変換テーブル内の前記候補ＭＣＳよりも少ない要件を有するＭＣＳを決定するために構成された手段と、
を有し、
前記ターゲットＭＣＳは、前記候補ＭＣＳとは異なる変調方式である請求項５に記載の装置。
【請求項７】
前記ターゲットＭＣＳを利用することによって、前記ＵＥをスケジューリングするために構成されたスケジューリング部と、
前記スケジューリング結果に基づいて前記ＵＥに対してパケットを送信する送信部と、
を、さらに有する請求項１に記載の装置。
【請求項８】
ダウンリンクパケット及び基準信号の送信電力に関する前記情報に基づいて、前記ＵＥが前記ＢＳから送信されたパケットを復号するために、前記ＵＥに対して、ダウンリンクパケット及び基準信号の送信電力に関する前記情報を送信するために構成された送信部を、さらに有する請求項１に記載の装置。
【請求項９】
前記ターゲットＭＣＳに基づいて、ターゲットＣＱＩを取得するために構成された取得部と、
前記ＢＳが、前記ターゲットＣＱＩに基づいて前記ターゲットＭＣＳを取得し、前記ターゲットＭＣＳを利用することによって前記ＵＥをスケジューリングし、前記スケジューリング結果に基づいて前記ＵＥに対してパケットを送信するために、前記ＢＳに対して前記ターゲットＣＱＩをレポートするために構成されたレポート部と、
を、さらに有する請求項１に記載の装置。
【請求項１０】
基地局（ＢＳ）は、ユーザ機器（ＵＥ）にサービスを提供し、セル間干渉を調整するために非正規サブフレームを使用し、前記非正規サブフレームの送信電力は、正規サブフレームの送信電力よりも低い、前記ＵＥをスケジューリングするための方法であって、
ダウンリンクパケット及び基準信号の送信電力に関する情報に基づいて、前記非正規サブフレームにおけるチャネル品質情報を調整することと、
前記ＢＳが前記非正規サブフレームにおけるターゲット変調符号化方式（ＭＣＳ）に基づいて前記ＵＥをスケジューリングするために、調整された前記チャネル品質情報に係る前記ターゲットＭＣＳを決定することと、
を含む、前記ＵＥをスケジューリングするための方法。
【発明の詳細な説明】
【技術分野】
【０００１】
本発明の実施形態は、一般的に通信技術に関連する。特に、本発明の実施形態は、ユーザ機器をスケジューリングするための方法及び装置に関連する。
【背景技術】
【０００２】
３ＧＰＰ−ＬＴＥとＬＴＥ−Ａｄｖａｎｃｅｄは、新しい先進的な無線通信技術の仕様の新しいシリーズを生み出す、次世代のセルラー通信基準の１つである。ＬＴＥ−Ａｄｖａｎｃｅｄにおいては、異機種ネットワーク（ＨｅｔＮｅｔ）は、マクロｅＮＢ、ｅノードＢと低電力ノード（ＬＰＮ）、すなわち、ピコｅＮＢ、フェムトｅＮＢ、中継ノード、ＲＲＨを含むことによって、展開されている。低電力ノードは、スペクトル効率を高め、システム範囲とセルのスループット性能とを向上させるが、異機種ネットワーク内には存在しない干渉を招く。
【０００３】
例えば、干渉の事例の１つは、特に、セル範囲拡張（ＣＲＥ）が適用されたときに、低電力ノードによって引き起こされる、マクロｅＮＢからユーザ機器（ＵＥ）に対する干渉である。このような干渉を排除するために、強化セル間干渉調整（ｅＩＣＩＣ）方式が提案されている。特に、ｅＩＣＩＣ方式は、２種類のサブフレームを導入する。１つは正規サブフレームであり、もう１つは、オールモスト・ブランク・サブフレーム（ＡＢＳ）、ノンゼロパワーＡＢＳ等を例とする非正規サブフレームである。ＬＴＥリリース１０において提案されたｅＩＣＩＣ方式では、マクロｅＮＢがＡＢＳを用いた送信を中止するため、マクロｅＮＢからＵＥに対する干渉は、ＡＢＳが行われる間、大幅に減少する。ＬＴＥリリース１１の中で提案されたファーサーｅＩＣＩＣ（ＦｅＩＣＩＣ）方式において、ノンゼロパワーＡＢＳは、さらに性能を向上させるために導入されている。具体的には、マクロｅＮＢは、ノンゼロパワーＡＢＳでの送信を中止しないが、ダウンリンク送信電力は、マクロｅＮＢからＵＥに対する干渉を減らすように減少する。それゆえ、正規サブフレームが用いられる時と、非正規サブフレームが用いられる時とでは、ＵＥに対する干渉レベルは異なる。
【０００４】
もう１つの干渉の事例は、マクロｅＮＢによって引き起こされる、ＬＰＮ（例えば、ピコｅＮＢ）からＵＥに対する干渉である。典型的なｅＩＣＩＣの状況では、ＬＰＮはＡＢＳを用いた送信を中止する。そして、ＵＥは、ＡＢＳが用いられている間、ＬＰＮから干渉を受けない。他の典型的なｅＩＣＩＣの状況では、ＬＰＮは、ノンゼロパワーＡＢＳが用いられている間、送信電力を減少させる。そして、ＵＥは、ノンゼロパワーＡＢＳが用いられている間、ＬＰＮから小さな干渉を受けるに留まる。それゆえ、正規サブフレームが用いられる時と、非正規サブフレームが用いられる時とでは、ＵＥに対する干渉レベルは異なる。
【０００５】
さらに干渉の事例は、もう１つのマクロｅＮＢによって引き起こされるＵＥに対する干渉である。同様に、ｅＩＣＩＣ方式においても、正規サブフレームが用いられる時と、非正規サブフレームが用いられる時とでは、ＵＥに対する干渉レベルは異なる。
【０００６】
変調符号化方式（ＭＣＳ）は、符号化方法、変調の種類、空間ストリーム数やその他の物理属性を含めて、送信側と受信側との間で決定されるべき多くの変数が必要である。ＭＣＳの値や指標は、送信側と受信側とが使用する通信変数を作るために使用される。ＭＣＳ指標は、対応する物理的なデータレートを決定するために使用され得る。
【０００７】
送信効率を向上させるために、携帯通信の解決策は、送信側がチャネルの品質や状態によるデータレートを調整するための、様々な先進技術を使用している。そのような解決策は、受信側から返ってきたチャネル品質情報（ＣＱＩ）を受け、そして、最適なＭＣＳを使って最適なタイミングでデータ送信を実行する。具体的に、これらの解決策は、意図されたレベルでの受信エラーレートを維持するために、悪いチャネル状況におけるデータレートを減少させることができる。そして、スループットを最大化するために良いチャネル状況におけるデータレートを増大させることができる。これにより、システムのスループットが向上する。この際、送信チャネルに関する十分な情報があれば、送信効率は向上する。
【０００８】
しかしながら、ｅＩＣＩＣ方式では正規サブフレームと非正規サブフレームとの異なる干渉レベルによって、正規サブフレームに適用されたＭＣＳは、非正規サブフレームに適さない。したがって、システムの性能が低下する。
【０００９】
上記の問題に鑑み、ＵＥのスケジューリングとシステムの性能とを効率的に向上させるために、非正規サブフレームにおける適切なＭＣＳを見つける必要がある。
【発明の概要】
【発明が解決しようとする課題】
【００１０】
本発明は、非正規サブフレームにおける適切なＭＣＳを見つける解決策を提供する。具体的には、本発明は、非正規サブフレームを用いる場合に、より適切な調整されたＭＣＳを利用することによって、ＵＥをスケジューリングするための方法及び装置を提供する。
【課題を解決するための手段】
【００１１】
本発明の第１の観点によると、本発明の実施形態は、
ＢＳは、ＵＥにサービスを提供し、セル間干渉を調整するために非正規サブフレームを使用し、前記非正規サブフレームの送信電力は、正規サブフレームの送信電力よりも低い、前記ＵＥをスケジューリングするための方法であって、
ダウンリンクパケット及び基準信号の送信電力に関する情報に基づいて、前記非正規サブフレームにおけるチャネル品質情報を調整することと、
前記ＢＳが前記非正規サブフレームにおけるターゲットＭＣＳに基づいて前記ＵＥをスケジューリングするために、調整された前記チャネル品質情報に係る前記ターゲットＭＣＳを決定することと、
を含む、前記ＵＥをスケジューリングするための方法を提供する。
【００１２】
本発明の第２の観点によると、本発明の実施形態は、
ＢＳは、ＵＥにサービスを提供し、セル間干渉を調整するために非正規サブフレームを使用し、前記非正規サブフレームの送信電力は、正規サブフレームの送信電力よりも低い、前記ＵＥをスケジューリングするための装置であって、
ダウンリンクパケット及び基準信号の送信電力に関する情報に基づいて、前記非正規サブフレームにおけるチャネル品質情報を調整するために構成された調整部と、
前記ＢＳが前記非正規サブフレームにおけるターゲットＭＣＳに基づいて前記ＵＥをスケジューリングするために、調整された前記チャネル品質情報に係る前記ターゲットＭＣＳを決定するために構成された決定部と、
を含む、前記ＵＥをスケジューリングするための装置を提供する。
【発明の効果】
【００１３】
以下のような利点が、本発明で期待されている。本発明に係る解決策によれば、非正規サブフレームにおけるＭＣＳ及び／又はＣＱＩは、より正確になり、ｅＮＢのリソースエレメント（ＲＥ）の動的範囲内に入ることができる。したがって、ｅＩＣＩＣ方式の利得性能が得られる。
【００１４】
本発明の実施形態における他の特徴及び利点は、添付図面を併せて読むことにより、具体的な実施形態に関する以下の説明から明らかになる。添付図面は、例として、本発明の実施形態の原理を示している。
【００１５】
本発明の実施形態は、実施例の意味において示され、本発明の利点は、添付の図面を参照しながら、以下においてより詳細に説明されている。
【図面の簡単な説明】
【００１６】
【図１】ＨｅｔＮｅｔシステムを示す概略図である。
【図２】正規サブフレームと非正規サブフレームとの送信電力を示す概略図である。
【図３】本発明の実施形態に係るＵＥをスケジューリングするための方法に関するフローチャートである。
【図４】本発明のさらなる実施形態に係るＵＥをスケジューリングするための方法に関するフローチャートである。
【図５】本発明のさらなる実施形態に係るＵＥをスケジューリングするための方法に関するフローチャートである。
【図６】本発明の実施形態に係るターゲットＭＣＳを決定するための方法に関するフローチャートである。
【図７】本発明の実施形態に係るＵＥをスケジューリングするための装置のブロック図である。
【発明を実施するための形態】
【００１７】
本発明の様々な実施形態について図面を参照して詳細に説明する。図面のフローチャート及びブロック図は、本発明の実施形態に係る装置、方法、並びに構造、機能、及びコンピュータプログラム製品によって実行可能な動作を示している。ただし、フローチャート又はブロック内の各ブロックは、指定された論理機能を実行するための１つ以上の実行可能な命令を含む、モジュール、プログラム、又はコードの一部を表す。いくつかの代替案では、ブロックで示される機能は、図に示す順序とは異なる順序で起こってもよいことに留意すべきである。例えば、連続して図示されている２つのブロックは、実質的に、関連する機能に依存して、並行して又は逆の順序で実行されてもよい。また、ブロック図及び／又はフローチャートの各ブロック、及びそれらの組み合わせは、特定の機能・動作を実行するための専用ハードウェアベースのシステムによって、もしくは、専用ハードウェアとコンピュータ命令との組み合わせによって、実現されてもよいことに留意すべきである。
【００１８】
本発明では、ユーザ機器（ＵＥ）は、端末、移動端末（ＭＴ）、加入者局（ＳＳ）、携帯加入者端末（ＰＳＳ）、移動局（ＭＳ）又はアクセス端末（ＡＴ）を示しており、ＵＥ、端末、ＭＴ、ＳＳ、ＰＳＳ、ＭＳ、及びＡＴの一部又は全ての機能が含まれる。
【００１９】
本発明では、基地局（ＢＳ）は、ノードＢ（ノードＢ又はＮＢ）又は進化ノードＢ（ｅノードＢ又はｅＮＢ）を示している。基地局は、マクロセルＢＳ又はスモールセルＢＳであってもよい。本発明によれば、マクロセルＢＳは、マクロセルを管理する基地局であってもよく、例えば、マクロｅＮＢとスモールセルＢＳは、スモールセルを管理する基地局、例えば、ピコｅＮＢ、フェムトｅＮＢ、及びいくつかの他の適切な低電力ノードであってもよい。
【００２０】
本発明において、ｅＩＣＩＣ方式で使用される非正規サブフレームは、一般に、正規サブフレームにおける送信電力よりも低いノンゼロの送信電力を有することに留意すべきである。例えば、本発明に係るｅＩＣＩＣ方式は、ＬＴＥリリース１１で提案されているＦｅＩＣＩＣ方式であってもよい。ＦｅＩＣＩＣ方式は、ノンゼロ電力ＡＢＳが典型的な非正規サブフレームとして導入されている。この分野における当業者にとっては、リリース１１で提案されたＦｅＩＣＩＣ方式は、本発明に記載されているｅＩＣＩＣ方式において、限定することのない一例である。そして、本発明によって提案された解決策は、ＢＳが非正規サブフレームでＵＥへパケットを送信する、その他の適切なセル間干渉調整方式に適用できる。なお、非正規サブフレームにおける送信電力は、正規サブフレームにおける送信電力よりも低い。
【００２１】
まず、図１は、本発明の実施形態に適用可能なＨｅｔＮｅｔシステムの概略図を示している。
【００２２】
図１の通信環境は、ＬＴＥシステムを示している。このシステムは、例示的に、３つのピコｅＮＢ１００、１１０、１２０と、１つのマクロｅＮＢ１３０と、を備えている。ピコｅＮＢ１００はＵＥ１０１にサービスを提供し、ピコｅＮＢ１１０はＵＥ１１１にサービスを提供し、ピコｅＮＢ１２０はＵＥ１２１にサービスを提供し、マクロｅＮＢ１３０はＵＥ１３１にサービスを提供する。
【００２３】
本発明の実施形態によれば、ＵＥ１０１は、例えば、マクロｅＮＢ１３０、ピコｅＮＢ１１０、１２０といったように、ＵＥ１０１にサービスを提供しない隣のＢＳによって干渉される。一般的には、マクロｅＮＢは、通常、ピコｅＮＢ１１０、１２０よりもＵＥ１０１により強い干渉をしている。したがって、マクロｅＮＢ１３０は、非正規サブフレームにおけるＵＥ１０１に対する干渉を低減できるように、正規サブフレーム又は非正規サブフレームを用いてＵＥ１３１に対するパケットを送信することができる。
【００２４】
本発明のさらなる実施形態によれば、ＵＥ１３１は、ＵＥ１３１にサービスを提供しない他のマクロｅＮＢ（図示せず）によって干渉される。他のマクロｅＮＢは、非正規サブフレームにおけるＵＥ１３１に対する干渉を低減できるように、正規サブフレーム又は非正規サブフレームを用いて、そのＵＥ（ＵＥ１３１ではない）にパケットを送信することができる。
【００２５】
より良い理解のために、本発明の以下の実施形態は、例えば、図１の通信環境においては、ＬＴＥシステムにて記載されている。この分野における当業者にとっては、本発明は、図１に示した特定の構成に限定されるものではなく、他の任意の適切な通信環境に適用可能であることが理解できる。
【００２６】
図２を参照すると、正規サブフレームと非正規サブフレームにおける送信電力の概略図を示している。
【００２７】
本発明の実施形態によれば、サブフレームは、異なる種類、すなわち、正規及び非正規、を有する。正規サブフレームでは、ＢＳは、通常の送信電力でＵＥにパケットを送信する。一方、非正規サブフレームでは、ＢＳは、より低い電力でＵＥにパケットを送信する。すなわち、非正規サブフレームにおける送信電力は、正規サブフレームにおける送信電力よりも低い。図２は、例示的に、８つの正規サブフレーム２００、２０２、２０３、２０４、２０５、２０６、２０８、２０９と、２つの非正規サブフレーム２０１、２０７とを含む、１０個のサブフレームを示している。図２に示されるように、正規サブフレームにおける物理ダウンリンク共有チャネル（ＰＤＳＣＨ）の送信電力はＰ０デシベルである。非正規サブフレーム２０１、２０７におけるＰＤＳＣＨの送信電力はＰ１デシベルである。Ｐ１は、Ｐ０よりもＸデシベル低い。図２に示されるように、ＢＳからＵＥに対する基準信号における電力は、正規サブフレームが用いられるか非正規サブフレームが用いられるかに関わらず同じである。
【００２８】
上記のように、２種類のサブフレームである正規サブフレームと非正規サブフレームは、ｅＩＣＩＣ方式における関係がある。非正規サブフレームは、ＬＴＥリリース１１で定義されているように、ノンゼロ電力ＡＢＳであってもよい。非正規サブフレームが用いられる間、非正規サブフレームの送信電力は、正規サブフレームの送信電力よりも低い。このように、非正規サブフレームにおける干渉は低減される。
【００２９】
非正規サブフレーム、すなわち、非正規サブフレーム２０１、２０７におけるＵＥのスケジュールについて、本発明は解決策を提供する。すなわち、その解決策は、図３〜６に示されるように、ＢＳが非正規サブフレームにおけるターゲットＭＣＳに基づいてＵＥをスケジューリングするために、非正規サブフレームにおけるチャネル品質情報に係るターゲットＭＣＳを決定することである。
【００３０】
図３を参照すると、本発明の実施形態にしたがって、ＵＥをスケジューリングするための方法３００のフローチャートを示している。これらの実施形態では、ＢＳは、ＵＥにサービスを提供し、セル間干渉を調整するために非正規サブフレームを利用する。また、非正規サブフレームにおける送信電力は、正規サブフレームにおける送信電力よりも低い。図３に示されるように、この方法は、ＢＳ、ＵＥ、又は他の適切な装置によって実行されてもよい。
【００３１】
ステップＳ３０１において、非正規サブフレームにおけるチャネル品質情報は、ダウンリンクパケット及び基準情報の送信電力に関する情報に基づいて調整される。
【００３２】
本発明の実施形態によれば、チャネル品質情報は、ＢＳからＵＥに対するチャネルの品質を反映した情報を有する。例えば、チャネル品質情報は、信号対雑音干渉比（ＳＩＮＲ）、信号対雑音比（ＳＮＲ）、信号対干渉比（ＳＩＲ）、搬送波対雑音干渉比（ＣＩＮＲ）、搬送波対雑音比（ＣＮＲ）などを有する。本実施形態では、チャネル品質情報は、例示的に、ＳＩＮＲを有する。なお、本発明の他の実施形態では、チャネル品質情報は、上記のＳＮＲ、ＳＩＲ、ＣＩＮＲ、ＣＮＲ、又は、ＳＩＮＲ、ＳＮＲ、ＳＩＲ、ＣＩＮＲ、ＣＮＲの任意の組み合わせを有してもよいことに留意すべきである。
【００３３】
本発明の実施形態によれば、ＢＳからＵＥに対する送信はダウンリンク送信とみなされ、ＵＥからＢＳに対する送信はアップリンク送信とみなされる。ダウンリンク送信において、ＢＳは、受信側にパケットを送信する送信側の役割を果たし、ＵＥは、送信側からパケットを受信する受信側の役割を果たす。ダウンリンク送信は、物理ダウンリンク共有チャネル（ＰＤＳＣＨ）上で実行される。
【００３４】
以下の説明において、「基準信号（ＲＳ）」は、２つの目的のために、送信側と受信側との間で事前定義された信号を意味する。ＲＳの１番目の目的は、受信側がＣＳＩを測定できるようにすることである。ＲＳの２番目の目的は、受信側が送信側によって送信された信号を復調できるようにすることである。通常、セル内の全ての受信側によって使用されるために、ＬＴＥシステムのダウンリンクにおいて定義されているＲＳが存在する。この種類のＲＳは、セル毎に定義されているため、共通ＲＳ（ＣＲＳ）又はセル固有ＲＳと呼ばれる。
【００３５】
本発明の実施形態によれば、ＲＳの送信電力は、交換手、サービスプロバイダ、又は他の誰かによって、ＢＳによって予め決定することができる。ダウンリンクパケットの送信電力は、ダウンリンク送信の電力制限に基づいて、ＢＳによって決定される。
【００３６】
本発明の実施形態によれば、非正規サブフレームにおけるチャネル品質情報は、ＢＳからＵＥに対する送信におけるＳＩＮＲ、すなわち、ダウンリンク送信におけるＳＩＮＲである。ＢＳからＵＥに対する送信におけるＳＩＮＲは、ダウンリンクパケット及び基準信号に関する送信電力に関する情報に基づいて、取得及び調整される。
【００３７】
本発明の実施形態によれば、非正規サブフレームにおけるチャネル品質情報は、ＢＳからＵＥに対する送信におけるＳＩＮＲ、すなわち、ダウンリンク送信におけるＳＩＮＲである。ＢＳからＵＥに対する送信におけるＳＩＮＲは、ダウンリンクパケット及び基準信号に関する送信電力に関する情報に基づいて、取得及び調整される。
【００３８】
本発明の実施形態によれば、本発明に係る方法は、ＢＳによって実行される。この場合、ＳＩＮＲは、ＵＥによって測定されたチャネル品質標識（ＣＱＩ）を受信すること、及び、受信されたＣＱＩに対応するＳＩＮＲを取得することによって、取得される。
【００３９】
本発明の実施形態によれば、本発明に係る方法は、ＵＥによって実行される。この場合、ＳＩＮＲは、ＢＳから基準信号を受信すること、及び、受信した基準信号に基づいてＳＩＮＲを測定することによって、取得される。
【００４０】
ステップＳ３０２において、ターゲット変調符号化方式（ＭＣＳ）は、ＢＳが非正規サブフレームにおけるターゲットＭＣＳに基づいてＵＥをスケジューリングするために、調整されたチャネル品質情報にしたがって決定される。
【００４１】
本発明の実施形態によれば、候補ＭＣＳは、調整されたチャネル品質情報に基づいてＣＱＩ−ＭＣＳ変換テーブルから選択される。また、ターゲットＭＣＳは、候補ＭＣＳ及び電力制御動的範囲に基づいて決定される。
【００４２】
本発明の実施形態によれば、ターゲットＭＣＳは、以下のように、候補ＭＣＳ及び電力制御範囲に基づいて決定される。まず、電力制御範囲と、ダウンリンクパケット及び基準信号の送信電力に関する情報と、が比較される。ダウンリンクパケット及び基準信号の送信電力に関する情報が電力制御範囲を超えていることに対応して、ＣＱＩ−ＭＣＳ変換テーブル内で、最も少ない要件のＭＣＳが、ターゲットＭＣＳとして決定される。また、ダウンリンクパケット及び基準信号の送信電力に関する情報が電力制御範囲を超えていないことに対応して、以下のように、ターゲットＭＣＳが決定されてもよい。ダウンリンクパケット及び基準信号の送信電力に関する情報が、候補ＭＣＳの変調方式のために動的レベルを超えていないならば、候補ＭＣＳをターゲットＭＣＳとして決定する。ダウンリンクパケット及び基準信号の送信電力に関する情報が、候補ＭＣＳの変調方式のために動的レベルを超えているならば、ＣＱＩ−ＭＣＳ変換テーブル内の候補ＭＣＳよりも少ない要件のＭＣＳ、すなわち、候補ＭＣＳとは異なる変調方式を有するターゲットＭＣＳを決定する。
【００４３】
本発明の実施形態によれば、本発明に係る方法は、ＢＳによって実行される。この場合、この方法は、ターゲットＭＣＳを利用することによってＵＥをスケジューリングするステップと、スケジューリング結果に基づいて、ＵＥに対してパケットを送信するステップと、をさらに含む。
【００４４】
本発明の実施形態によれば、本発明に係る方法は、ＢＳによって実行される。この場合、この方法は、ダウンリンクパケット及び基準信号の送信電力に関する情報に基づいて、ＵＥがＢＳから送信されたパケットを復号するために、ＵＥに対して、ダウンリンクパケット及び基準信号の送信電力に関する情報を送信するステップを、さらに含む。
【００４５】
本発明の実施形態によれば、本発明に係る方法は、ＵＥによって実行される。この場合、この方法は、ターゲットＭＣＳに基づいて、ターゲットＣＱＩを取得するステップと、ＢＳが、ターゲットＣＱＩに基づいてターゲットＭＣＳを取得し、ターゲットＭＣＳを利用することによってＵＥをスケジューリングし、スケジューリング結果に基づいてＵＥに対してパケットを送信するために、ＢＳに対してターゲットＣＱＩをレポートするステップを、さらに含む。
【００４６】
本発明の実施形態によれば、本発明に係る方法は、ＵＥによって実行される。この場合、この方法は、ＢＳからダウンリンクパケット及び基準信号の送信電力に関する情報を受信するステップを、さらに含む。
【００４７】
本発明の実施形態によれば、ダウンリンクパケット及び基準信号の送信電力に関する情報は、基準信号（ＲＳ）ＥＰＲＥに対する物理ダウンリンク共有チャネル（ＰＤＳＣＨ）リソースエレメントあたりのエネルギー（ＥＰＲＥ）の比を含む。以後、この比をＰＤＳＣＨ  ＥＰＲＥ／ＲＳ  ＥＰＲＥと称する。本発明の実施形態によれば、ダウンリンクパケット及び基準信号の送信電力に関する情報は、非正規サブフレームの送信電力の変動を示す他の情報を、さらに有していてもよい。当業者は、ＰＤＳＣＨ  ＥＰＲＥ／ＲＳ  ＥＰＲＥが、ダウンリンクパケット及び基準信号の送信電力に関する情報についての一例にすぎず、限定的なものではないことを理解するであろう。
【００４８】
図４を参照すると、本発明の実施形態に係るＵＥをスケジューリングする方法４００のフローチャートを示している。これらの実施形態では、ＢＳは、ＵＥにサービスを提供してもよく、セル間干渉を調整するために非正規サブフレームを使用してもよい。非正規サブフレームにおける送信電力は、正規サブフレームよりも低い。図４に示されるように、この方法は、ＢＳ又は他の適切な装置によって実行される。
【００４９】
本発明の実施形態によれば、本発明に係る方法は、図１に示したシステムで実現することができる。具体的には、図４に示される実施形態に係る方法は、ＢＳ、すなわち例えばマクロｅＮＢ１３０によって実行される。それとは異なり、図５に示される実施形態に係る方法は、ＵＥ、すなわち例えば後述するＵＥ１３１によって実行される。
【００５０】
ステップＳ４０１では、ＵＥによって測定されたチャネル品質標識（ＣＱＩ）が受信される。
【００５１】
ＬＴＥは、優勢なチャネル状態へと、ダウンリンク変調及び符号化率を適応させるために、ＵＥからＢＳ（例えばｅＮｏｄｅＢ）に対して、ＣＱＩフィードバックを提供する。ある一形態では、ＣＱＩレポートの周期性は、ｅＮｏｄｅＢによって管理されてもよい。別の一形態では、２つのＣＱＩ方式は、上位プロトコル層における周期的ＣＱＩ方式と非周期的ＣＱＩ方式とによって構成されてもよい。周期的ＣＱＩ方式において、ＣＱＩレポートは、スケジューリングされた物理アップリンク共有チャネル（ＰＵＳＣＨ）が存在するならば、物理アップリンク制御チャネル（ＰＵＣＣＨ）又はＰＵＳＣＨを用いてＵＥによって送信されてもよい。一例では、広帯域周期的ＣＱＩレポートのための周期性は、２ミリ秒から１６０ミリ秒の範囲である。非周期的ＣＱＩ方式において、ＣＱＩレポートはデータがあろうとなかろうと、ＰＵＳＣＨを用いてＵＥによって送信されてもよい。例えば、非周期的ＣＱＩレポートは、ＰＤＣＣＨを用いて送信されたＣＱＩリクエストビットを経由してｅＮｏｄｅＢによってスケジューリングすることができる。上記に鑑み、ＵＥによって測定されたチャネル品質標識（ＣＱＩ）を受信するためのいくつかの方法がある。このような方法は、本発明を実施する際に当業者によって最適に使用されてもよい。
【００５２】
本発明の実施形態によれば、送信方式１−８（３ＧＰＰ  ＴＳ  ３６．２１３を参照）において、ＵＥは、ダウンリンクセルの固有基準信号（ＣＲＳ）に基づいて、ＣＱＩを測定する。送信方式９（３ＧＰＰ  ＴＳ  ３６．２１３を参照）において、ＰＭＩ／ＲＩレポートが無効になっている場合、ＵＥはＣＲＳに基づいてＣＱＩを測定してもよい。それ以外の場合、ＵＥは、図４に示されるチャネル状態情報（ＣＳＩ−ＲＳ）に基づいてＣＱＩを測定する。本発明の実施形態によれば、ＵＥは、続けて、ＰＵＣＣＨ（周期的レポート）やＰＵＳＣＨ（非周期的レポート）を介して、ＢＳに対して測定されたＣＱＩをレポートする。
【００５３】
ステップＳ４０２では、受信したＣＱＩに対応するＳＩＮＲが取得される。
【００５４】
ＵＥによるＣＱＩ測定では、ダウンリンク基準信号の受信品質は、受信ＳＩＮＲ  （信号対干渉比）についての数十種類のレベルの１つとして、表される。例えば、ＣＱＩは、受信ＳＩＮＲの量子化レベルを決定することによって導出することができる。このため、ＣＱＩとＳＩＮＲとの対応関係があってもよい。したがって、ＣＱＩがＵＥで測定されてＢＳにより受信される場合には、対応するＳＩＮＲは、ＣＱＩとＳＩＮＲとの対応関係に応じて取得されてもよい。
【００５５】
ステップＳ４０３では、ＳＩＮＲは、ダウンリンクパケット及び基準信号の送信電力に関する情報に基づいて調整される。
【００５６】
本発明の実施形態によれば、ダウンリンクパケット及び基準信号の送信電力に関する情報は、ＰＤＳＣＨリソースエレメント（ＲＥ）の間において、ＰＤＳＣＨ  ＥＰＲＥ／ＲＳ  ＥＰＲＥを有してもよい。ＲＥは、非正規サブフレームにおける送信電力の変動を反映している。
【００５７】
本発明の実施形態によれば、ステップＳ４０２で取得されたＳＩＮＲを考慮すると、ＳＩＮＲは、ＰＤＳＣＨ  ＥＰＲＥ／ＲＳ  ＥＰＲＥに基づいて調整されてもよい。
例えば、調整されたＳＩＮＲ（ＳＩＮＲａｄｊとして示される）は、式（１）によって取得されてもよい。
ＳＩＮＲａｄｊ＝ＳＩＮＲｍｅａｎｓ−δ      （１）
ＳＩＮＲｍｅａｎｓは、ステップ４０２で取得されたＳＩＮＲを表す。δは、ＰＤＳＣＨ  ＥＰＲＥ／ＲＳ  ＥＰＲＥを表す。
【００５８】
当業者によって理解されるように、調整されたＳＩＮＲは、いくつかの他の方法によって得ることができる。例えば、重み付けされたＰＤＳＣＨ  ＥＰＲＥ／ＲＳ  ＥＰＲＥにより測定されたＣＱＩに基づいて、取得されたＳＩＮＲを低下させることによって、取得されてもよい。別の例では、調整されたＳＩＮＲは、ＰＤＳＣＨ  ＥＰＲＥ／ＲＳ  ＥＰＲＥに基づいて適切な係数を計算すること、及び、測定されたＣＱＩに基づいて取得されたＳＩＮＲにこの係数を適用することによって取得されてもよい。当業者は、上記の例が例示にすぎず、限定的なものではないことを理解するであろう。
【００５９】
ステップＳ４０４では、候補ＭＣＳは、調整されたＳＩＮＲに基づいてＣＱＩ−ＭＣＳ変換テーブルから選択される。
【００６０】
３ＧＰＰ  ＴＳ３６．２１３の７．２．３節には、ＣＱＩインデックスと変調符号化方式との間の関係を記述するための４ビットのＣＱＩテーブルが用意されている。一般的に、ＭＣＳインデックスは、ＣＱＩインデックスによって表される。下記の表１は、解説のために、ＣＱＩ−ＭＣＳ変換テーブルとして例示的に使用される表を示している。
【表１】
2015505197.tif 000003
【００６１】
本発明の実施形態によれば、対応するＣＱＩは、調整されたＳＩＮＲと、ＣＱＩ及びＳＩＮＲの対応関係と、に基づいて決定されている。このように、調整されたＣＱＩは取得される。調整されたＣＱＩにおけるインデックスによれば、ＣＱＩ−ＭＣＳ変換テーブル、すなわち表１から、対応するＭＣＳ（すなわち、候補ＭＣＳ）が決定される。
【００６２】
例えば、ステップＳ４０１で受信される測定されたＣＱＩが、７のインデックスを有すると仮定すると、対応するＭＣＳは、表１に係る変調方式「１６ＱＡＭ」を使用する。ステップＳ４０２−Ｓ４０３でＳＩＮＲを調整した後、調整後のＣＱＩインデックスは、６のインデックスを有してもよい。表１から分かるように、調整後、対応するＭＣＳは、１６ＱＡＭではなく、ＱＰＳＫである。この時点で、候補ＭＣＳは、ＣＱＩインデックス６に対応するＭＣＳである。
【００６３】
ステップＳ４０５では、ターゲットＭＣＳは、候補ＭＣＳ及び電力制御動的範囲に基づいて決定される。
【００６４】
ターゲットＭＣＳは、いくつかの方法で決定することができる。本発明の実施形態によれば、候補ＭＣＳは、任意のさらなる処理を行うことなく、直接、ターゲットＭＣＳとして決定される。
【００６５】
本発明のさらなる実施形態によれば、より良い精度のために、電力制御動的範囲が、ターゲットＭＣＳの決定において考慮されてもよい。図６を参照すると、本発明の実施形態に係るターゲットＭＣＳを決定するための方法６００のフローチャートを示している。
【００６６】
電力制御動的範囲は、少なくとも１つの変調方式における少なくとも１つの動的レベルを含む。例えば、電力制御動的範囲は、いくつかの変調方式のためのいくつかの動的レベルを含む。変調方式は、ＱＰＳＫ、１６ＱＡＭ、６４ＱＡＭなどである。したがって、電力制御動的範囲において、各変調方式に対応する動的レベルが定義されている。電力制御動的範囲の一例が、表２に示されている。表２は、Ｔａｂｌｅ  ６．３．１．１−１，  ３ＧＰＰ  ＴＳ  ３６．１０４として定義されている。表２には、ＱＰＳＫの動的レベルは、−６デシベルから＋３デシベル（レベル［−６，３］と表記）までである。１６ＱＡＭの動的レベルは、−３デシベルから＋３デシベル（レベル［−３，３］と表記）までである。６４ＱＡＭの動的レベルが、０デシベルから０デシベル（レベル［０，０］と表記）までである。電力制御範囲は、［−６，＋４］デシベルである。
【表２】
2015505197.tif 000004
【００６７】
ステップＳ６０１では、電力制御範囲と、ダウンリンクパケット及び基準信号の送信電力に関する情報と、が比較される。
【００６８】
上記のように、ダウンリンクパケット及び基準信号の送信電力に関する情報は、ＰＤＳＣＨ  ＥＰＲＥ／ＲＳ  ＥＰＲＥを含む。ＰＤＳＣＨ  ＥＰＲＥ／ＲＳ  ＥＰＲＥは、予めＢＳによって構成されていたり、操作者により予め設定されていたり、チャネル状態に応じて算出されたり、又は適切な手段で取得される。
【００６９】
本発明の実施形態によれば、ＰＤＳＣＨ  ＥＰＲＥ／ＲＳ  ＥＰＲＥは、ＰＤＳＣＨリソースエレメント（ＲＥ）における電力変動と、非正規サブフレームにおける基準信号ＲＥと、を示す値、例えばδデシベルである。表２に示されるように、ＰＤＳＣＨ  ＥＰＲＥ／ＲＳ  ＥＰＲＥと電力制御範囲とを比較することによって、ＰＤＳＣＨ  ＥＰＲＥ／ＲＳ  ＥＰＲＥが電力制御動的範囲における動的レベルに属することが決定されてもよい。
【００７０】
これは、非正規サブフレームにおける送信電力は、正規サブフレームにおける送信電力に比べて低いため、ＰＤＳＣＨ  ＥＰＲＥ／ＲＳ  ＥＰＲＥの値は、電力制御範囲と比較することで、負の値になることに留意すべきである。例えば、−δデシベルの値は、電力制御範囲のそれぞれの動的レベルと比較することができる。
【００７１】
ステップＳ６０２では、ダウンリンクパケット及び基準信号の送信電力に関する情報が電力制御範囲を超えているかどうかが判断される。
【００７２】
本発明の実施形態によれば、ダウンリンクパケット及び基準信号の送信電力に関する情報が電力制御範囲を超えるならば、フローは、Ｓ６０３に進み、ターゲットＭＣＳとしてＣＱＩ−ＭＣＳ変換テーブル内で最も少ない要件のＭＣＳを決定する。ダウンリンクパケット及び基準信号の送信電力に関する情報が電力制御範囲を超えないならば、フローはダウンリンクパケット及び基準信号の送信電力に関する情報が候補ＭＣＳの変調方式における動的レベルを超えていないかを判断するためにＳ６０４に進む。
【００７３】
本発明では、ＣＱＩ−ＭＣＳ変換テーブル内で最も少ない要件のＭＣＳは、最も低いチャネル品質に適用できるＭＣＳ、最も悪いチャネル品質に適用できるＭＣＳ、又は、最も低い符号化率及び効率を有するＭＣＳである。例えば、表１のようなＣＱＩ−ＭＣＳ変換テーブル内において、最も少ない要件のＭＣＳは、ＣＱＩインデックス１によって示される。ＣＱＩインデックス１は、ＱＰＳＫの変調方式と、符号化率７８と、効率０．１５２３と、を有する。
【００７４】
本発明の実施形態によれば、ダウンリンクパケット及び基準信号の送信電力に関する情報が、候補ＭＣＳの変調方式における動的レベルを超えるならば、フローは、Ｓ６０５に進み、ターゲットＭＣＳとして、ＣＱＩ−ＭＣＳ変換テーブル内の候補ＭＣＳよりも少ない要件のＭＣＳを決定する。ターゲットＭＣＳは、候補ＭＣＳとは異なる変調方式を有する。もし、候補ＭＣＳの変調方式における動的レベルを超えないならば、フローは、ターゲットＭＣＳとして候補ＭＣＳを決定するためにＳ６０６に進む。
【００７５】
本発明では、ＣＱＩ−ＭＣＳ変換テーブル内の候補ＭＣＳよりも少ない要件のＭＣＳは、候補ＭＣＳよりも、低いチャネル品質、より悪いチャネル状況、又はより低い符号化率もしくは符号化効率に適しているＭＣＳであってもよい。表１を参照すると、例えば、候補ＭＣＳがＣＱＩインデックス７を有しているならば、ＣＱＩインデックス６を有するＭＣＳは、候補ＭＣＳよりも少ない要件のＭＣＳである。この理由は、ＣＱＩインデックス６を有するＭＣＳは、ＣＱＩインデックス７を有するＭＣＳにおける変調方式１６ＱＡＭとは異なる変調方式「ＱＰＳＫ」を有する一方で、ＣＱＩインデックス７を有するＭＣＳよりも低い符号化率及び符号化効率を有するからである。
【００７６】
表３は、本発明の実施形態に係る表１及び表２に基づいてターゲットＭＣＳを決定する実施形態を示している。具体的には、表３は、ＰＤＳＣＨ  ＥＰＲＥ／ＲＳ  ＥＰＲＥ及び電力制御範囲に基づいてターゲットＭＣＳを決定するための３つの場合を示している。
【表３】
2015505197.tif 000005
【００７７】
−δ∈［−∞，−６）に属する事例１において、ＰＤＳＣＨ  ＥＰＲＥ／ＲＳ  ＥＰＲＥは電力制御範囲（すなわち、［−６，＋４］）を超えることが分かる。候補ＭＣＳの変調方式がＱＰＳＫであるならば、表１内の最も低いＭＣＳがターゲットＭＣＳとして選択される。また、候補ＭＣＳの変調方式が１６ＱＡＭであるならば、表１内の最も低いＭＣＳがターゲットＭＣＳとして選択される。また、候補ＭＣＳの変調方式が６４ＱＡＭであるならば、表１内の最も低いＭＣＳがターゲットＭＣＳとして選択される。本実施形態では、表１内の最も低いＭＣＳは、最も少ない要件のＭＣＳ、すなわち、ＱＰＳＫの変調方式を有し、７８の符号化率及び０．１５２３の効率を有するＣＱＩインデックス１によって示されるＭＣＳである。
【００７８】
−δ∈［−６，−３）に属する事例２において、ＰＤＳＣＨ  ＥＰＲＥ／ＲＳ  ＥＰＲＥが電力制御範囲（すなわち、［−６，＋３］）を超えないことが分かる。このように、ＰＤＳＣＨ  ＥＰＲＥ／ＲＳ  ＥＰＲＥは、候補ＭＣＳの変調方式における動的レベルと比較される。
【００７９】
具体的には、候補ＭＣＳの変調方式がＱＰＳＫであるならば、ＰＤＳＣＨ  ＥＰＲＥ／ＲＳ  ＥＰＲＥは、ＱＰＳＫにおける動的レベル（すなわち、［−６，＋３］）を超えない［−６，−３）の範囲に分類されるので、候補ＭＣＳはターゲットＭＣＳとして選択される。
【００８０】
候補ＭＣＳの変調方式が１６ＱＡＭであるならば、ＰＤＳＣＨ  ＥＰＲＥ／ＲＳ  ＥＰＲＥは、１６ＱＡＭにおける動的レベル（すなわち、［−３，＋３］）を超える［−６，−３）の範囲に分類される。このため、ＣＱＩ−ＭＣＳ変換テーブル内の候補ＭＣＳよりも少ない要件であり、１６ＱＡＭとは異なる変調方式のＭＣＳが、ターゲットＭＣＳとして選択される。ＱＰＳＫが１６ＱＡＭよりも少ない要件を有する一方で、［−６，−３）の範囲は、電力制御範囲を超えていない。このため、ＣＱＩインデックス１、２、３、４、５、６に対応するＭＣＳが、ターゲットＭＣＳとして選択される。本発明の実施形態では、表１内のＱＰＳＫを有する最も高いＭＣＳ（すなわち、ＣＱＩインデックス６に対応するＭＣＳ）がターゲットＭＣＳとして選択される。
【００８１】
候補ＭＣＳの変調方式が６４ＱＡＭであるならば、ＰＤＳＣＨ  ＥＰＲＥ／ＲＳ  ＥＰＲＥは、６４ＱＡＭにおける動的レベル（すなわち、［０，０］）を超える［−６，−３）の範囲に分類される。このため、ＣＱＩ−ＭＣＳ変換テーブル内の候補ＭＣＳよりも少ない要件であり、６４ＱＡＭとは異なる変調方式のＭＣＳが、ターゲットＭＣＳとして選択される。１６ＱＡＭの変調方式は６４ＱＡＭよりも少ない要件を有するが、［−６，−３）の範囲は、また、１６ＱＡＭにおける動的レベル（すなわち、［−３，＋３］）を超えるため、１６ＭＣＳを有するＭＣＳは適切ではない。ＱＰＳＫは、６４ＱＡＭと１６ＱＡＭのどちらよりも少ない要件を有する一方、［−６，−３）の範囲は、電力制御範囲を超えていない。このため、ＣＱＩインデックス１、２、３、４、５、６に対応するＭＣＳが、ターゲットＭＣＳとして選択される。本発明の実施形態によれば、ＱＰＳＫを有する最も高いＭＣＳ（すなわち、ＣＱＩインデックス６に対応するＭＣＳ）が、ターゲットＭＣＳとして選択される。
【００８２】
−δ∈［−３，０）に属する事例３において、ＰＤＳＣＨ  ＥＰＲＥ／ＲＳ  ＥＰＲＥは電力制御範囲（すなわち、［−６，＋３］）を超えないことが分かる。このように、ＰＤＳＣＨ  ＥＰＲＥ／ＲＳ  ＥＰＲＥは、候補ＭＣＳの変調方式における動的レベルと比較される。
【００８３】
具体的には、候補ＭＣＳの変調方式がＱＰＳＫであるならば、ＰＤＳＣＨ  ＥＰＲＥ／ＲＳ  ＥＰＲＥは、ＱＰＳＫにおける動的レベル（すなわち、［−６，＋３］）を超えない［−３，０）の範囲に分類されるため、候補ＭＣＳがターゲットＭＣＳとして選択される。
【００８４】
候補ＭＣＳの変調方式が１６ＱＡＭであるならば、ＰＤＳＣＨ  ＥＰＲＥ／ＲＳ  ＥＰＲＥは、ＱＰＳＫにおける動的レベル（すなわち、［−３，＋３］）を超えない［−３，０）の範囲に分類されるため、候補ＭＣＳがターゲットＭＣＳとして選択される。
【００８５】
候補ＭＣＳの変調方式が６４ＱＡＭであるならば、ＰＤＳＣＨ  ＥＰＲＥ／ＲＳ  ＥＰＲＥは、６４ＱＡＭにおける動的レベル（すなわち、［０，０］）を超えない［−３，０）の範囲に分類される。このため、ＣＱＩ−ＭＣＳ変換テーブル内の候補ＭＣＳよりも少ない要件であり、６４ＱＡＭとは異なる変調方式を有するＭＣＳが、ターゲットＭＣＳとして選択される。１６ＱＡＭは、６４ＱＡＭよりも少ない要件を有し、［−３，０）の範囲は１６ＱＡＭにおける動的レベル（すなわち、［−３，＋３］）を超えないため、１６ＱＡＭを有するＭＣＳは、この状況では適切である。特に、ＣＱＩインデックス７、８、９に対応するＭＣＳは、ターゲットＭＣＳとして選択される。本発明の実施形態においては、表１内の１６ＱＡＭを有する最も高いＭＣＳ（すなわち、ＣＱＩインデックス９に対応するＭＣＳ）は、ターゲットＭＣＳとして選択される。
【００８６】
事例１、２、３で説明された上記の実施形態は、限定的ではなく、例示を目的としたものであることに留意すべきである。当業者は、他の適切な指針にしたがって、候補ＭＣＳ及び電力制御範囲に基づいてターゲットＭＣＳを決定することができる。
【００８７】
ステップＳ４０６において、ＵＥは、ターゲットＭＣＳを利用することによって、スケジューリングされる。
【００８８】
ＢＳは、ターゲットＭＣＳに基づいて、ＵＥに対してリソースブロック（ＲＢ）を割り当てる。ターゲットＭＣＳが決定されると、スケジューリングは、既存の方法で実施することができる。このため、ここでは詳細な説明を省略する。
【００８９】
ステップＳ４０７において、ＵＥに対するパケットは、スケジューリング結果に基づいて送信される。
【００９０】
非正規サブフレーム、すなわち、ＬＴＥ−Ａにおけるノンゼロ電力ＡＢＳにおいては、ＢＳは、ｅＩＣＩＣ方式の性能利得を向上させるために、ターゲットＭＣＳにおけるスケジューリング結果に基づいて、ＵＥに対してパケットを送信する。
【００９１】
本発明の実施形態によれば、本発明に係る方法は、ダウンリンクパケット及び基準信号の送信電力に関する情報に基づいて、ＵＥがＢＳから送信されたパケットを復号するために、ＵＥに対してダウンリンクパケット及び基準信号の送信電力に関する情報を送信するステップを、さらに含む。
【００９２】
図５を参照すると、本発明の実施形態に係るＵＥをスケジューリングするための方法５００のフローチャートを示している。これらの実施形態においては、ＢＳは、ＵＥにサービスを提供し、セル間干渉を調整するために非正規サブフレームを使用する。また、非正規サブフレームにおける送信電力は、正規サブフレームにおける送信電力よりも低い。図５に示される方法は、ＵＥ又は他の適切な装置によって実行される。
【００９３】
上記の通り、本発明の実施形態によれば、本発明に係る方法は、図１に示されるシステムによって実現される。さらに、図５に示される実施形態に係る方法は、図４に示されるＢＳによって実行される実施形態とは異なり、ＵＥ、すなわち、ＵＥ１３１によって実行される。
【００９４】
ステップＳ５０１では、基準信号は、ＢＳから受信される。
【００９５】
ステップＳ５０２において、ＳＩＮＲは、受信した基準信号に基づいて測定される。
【００９６】
ステップＳ５０３において、ダウンリンクパケット及び基準信号の送信電力に関する情報は、ＢＳから受信される。
【００９７】
本発明の実施形態によれば、調整されたチャネル品質情報に基づいてターゲットＭＣＳを決定するのと同様に、ダウンリンクパケット及び基準信号の送信電力に関する情報に基づいて、ＵＥが非正規サブフレームにおけるチャネル品質情報を調整するために、ダウンリンクパケット及び基準信号の送信電力に関する情報は、ＢＳからＵＥに対して送信される。
【００９８】
本発明の実施形態によれば、ダウンリンクパケット及び基準信号の送信電力に関する情報は、本発明において、またＰＤＳＣＨ  ＥＰＲＥ／ＲＳ  ＥＰＲＥと称する、ＲＳ  ＥＰＲＥに対するＰＤＳＣＨ  ＥＰＲＥの比を含む。
【００９９】
ステップＳ５０４において、ＳＩＮＲは、ダウンリンクパケット及び基準信号の送信電力に関する情報に基づいて調整される。
【０１００】
このステップは、ステップＳ４０３と同様であり、ステップＳ４０３において説明した全ての詳細は、ステップＳ５０４に適用可能である。
【０１０１】
ステップＳ５０５において、候補ＭＣＳは、調整されたＳＩＮＲに基づいて、ＣＱＩ−ＭＣＳ変換テーブルから選択される。
【０１０２】
このステップは、ステップＳ４０４と同様であり、ステップＳ４０４で説明した全ての詳細は、ステップＳ５０５に適用可能である。
【０１０３】
ステップＳ５０６において、ターゲットＭＣＳは、候補ＭＣＳ及び電力制御動的範囲に基づいて決定される。
【０１０４】
このステップは、ステップＳ４０５と同様であり、ステップＳ４０５で説明した全ての詳細は、ステップＳ５０６に適用可能である。
【０１０５】
ステップＳ５０７において、ターゲットＣＱＩは、ターゲットＭＣＳに基づいて取得される。
【０１０６】
ステップＳ５０８において、ターゲットＣＱＩは、ＢＳにレポートされる。
【０１０７】
ターゲットＣＱＩは、非正規サブフレームに関して取得されるため、ターゲットＣＱＩは、ＢＳが非正規サブフレームを用いてＵＥに対してパケットを送信することに適している。したがって、ｅＩＣＩＣ方式の性能利得を向上させることができる。
【０１０８】
本発明において、図４に係る実施形態の基本的な考え方は、図５に係る実施形態の基本的な考え方と同様である。いくつかの実施形態によれば、ＢＳは、全ての送信方式におけるＰＤＳＣＨ  ＥＰＲＥ／ＲＳ  ＥＰＲＥを送信するため、ＵＥは、ＰＤＳＣＨ  ＥＰＲＥ／ＲＳ  ＥＰＲＥと電力制御動的範囲とに基づいて、測定されたＣＱＩを修正するためのこの情報を有する。本発明の他の実施形態によれば、ＢＳは、正規サブフレームにおける方法と同じように、ノンゼロＡＢＳにおける方法を動作させることができる。
【０１０９】
本発明の他の実施形態によれば、ＢＳは、送信方式１〜６におけるその比をＵＥに対して送信するため、ＵＥは、図５に示される実施形態に係る送信方式における、測定されたＣＱＩを修正することができる。送信方式７〜９において、ＢＳがその比を送信しないならば、ＢＳは、図４に示される実施形態に係るＵＥがレポートしたＣＱＩを修正する。
【０１１０】
本発明の他の実施形態によれば、本発明に係る方法は、マルチユーザーマルチ入出力（ＭＵ−ＭＩＭＯ）、ビームフォーミング、オープンループリンクアダプテーション（ＯＬＬＡ）についての操作にそのまま拡張することができる。
【０１１１】
図７を参照すると、本発明の実施形態に係るＵＥをスケジューリングするための装置のブロック図を示している。これらの実施形態においては、ＢＳは、ＵＥにサービスを提供し、セル間干渉を調整するために非正規サブフレームを使用する。また、非正規サブフレームの送信電力は、正規サブフレームの送信電力よりも低い。図７に示される装置は、ＢＳ、ＵＥ、他の適切な装置のいずれかによって実行される。
【０１１２】
本発明の実施形態によれば、装置７００は、ダウンリンクパケット及び基準信号の送信電力に関する情報に基づいて、非正規サブフレームにおけるチャネル品質情報を調整するために構成された調整部７１０と、ＢＳが非正規サブフレームにおけるターゲット変調符号化方式（ＭＣＳ）に基づいてＵＥをスケジューリングするために、調整されたチャネル品質情報に係るターゲットＭＣＳを決定するために構成された決定部７２０と、を備える。これにより、ＢＳは、非正規サブフレームにおけるターゲットＭＣＳに基づいて、ＵＥをスケジューリングすることができる。
【０１１３】
本発明の実施形態によれば、調整部７１０は、ＢＳからＵＥに対する送信における信号対干渉雑音比（ＳＩＮＲ）を取得するために構成された取得手段と、ダウンリンクパケット及び基準信号の送信電力に関する情報に基づいて、ＳＩＮＲを調整するために構成された調整手段と、を有する。
【０１１４】
本発明の実施形態によれば、取得手段は、ＵＥによって測定されたチャネル品質標識（ＣＱＩ）を受信するために構成された手段と、受信されたＣＱＩに対応するＳＩＮＲを取得するために構成された手段と、を有する。
【０１１５】
本発明の実施形態によれば、取得手段は、ＢＳから基準信号を受信するために構成された手段と、受信された基準信号に基づいてＳＩＮＲを測定するために構成された手段と、を有する。
【０１１６】
本発明の実施形態によれば、決定部７２０は、調整されたチャネル品質情報に基づいて、ＣＱＩ−ＭＣＳ変換テーブルから候補ＭＣＳを選択するために構成された選択手段と、候補ＭＣＳと電力制御動的範囲とに基づいてターゲットＭＣＳを決定するために構成された決定手段と、を有し、電力制御動的範囲は、少なくとも１つの変調方式における少なくとも１つの動的レベルを含む。
【０１１７】
本発明の実施形態によれば、決定手段は、電力制御範囲と、ダウンリンクパケット及び基準信号の送信電力に関する情報と、を比較するために構成された手段と、ダウンリンクパケット及び基準信号の送信電力に関する情報が電力制御範囲を超えていることに応じて、ターゲットＭＣＳとしてＣＱＩ−ＭＣＳ変換テーブル内で最も少ない要件を有するＭＣＳを決定し、ダウンリンクパケット及び基準信号の送信電力に関する情報が電力制御範囲を超えていないことに応じて、ダウンリンクパケット及び基準信号の送信電力に関する情報が候補ＭＣＳの変調方式における動的レベルを超えていないならば、ターゲットＭＣＳとして候補ＭＣＳを決定し、ダウンリンクパケット及び基準信号の送信電力に関する情報が候補ＭＣＳの変調方式における動的レベルを超えているならば、ターゲットＭＣＳとしてＣＱＩ−ＭＣＳ変換テーブル内の候補ＭＣＳよりも少ない要件を有するＭＣＳを決定するために構成された手段と、を有し、ターゲットＭＣＳは、候補ＭＣＳとは異なる変調方式である。
【０１１８】
本発明の実施形態によれば、装置７００は、ターゲットＭＣＳを利用することによって、ＵＥをスケジューリングするために構成されたスケジューリング部と、スケジューリング結果に基づいてＵＥに対してパケットを送信する送信部と、を、さらに有する。
【０１１９】
本発明の実施形態によれば、装置７００は、ダウンリンクパケット及び基準信号の送信電力に関する情報に基づいて、ＵＥがＢＳから送信されたパケットを復号するために、ＵＥに対して、ダウンリンクパケット及び基準信号の送信電力に関する情報を送信するために構成された送信部を、さらに有する。
【０１２０】
本発明の実施形態によれば、装置７００は、ターゲットＭＣＳに基づいて、ターゲットＣＱＩを取得するために構成された取得部と、ＢＳが、ターゲットＣＱＩに基づいてターゲットＭＣＳを取得し、ターゲットＭＣＳを利用することによってＵＥをスケジューリングし、スケジューリング結果に基づいてＵＥに対してパケットを送信するために、ＢＳに対してターゲットＣＱＩをレポートするために構成されたレポート部と、を、さらに有する。
【０１２１】
本発明の実施形態によれば、装置７００は、ＢＳからダウンリンクパケット及び基準信号の送信電力に関する情報を受信するために構成された受信部を、さらに有する。
【０１２２】
本発明の実施形態によれば、ダウンリンクパケット及び基準信号の送信電力に関する情報は、基準信号（ＲＳ）ＥＰＲＥに対する物理ダウンリンク共有チャネル（ＰＤＳＣＨ）リソースエレメントあたりのエネルギー（ＥＰＲＥ）の比を含む。
【０１２３】
装置７００は、図３〜５に示されるように、機能を実行するために構成されたことに留意すべきである。したがって、方法３００、４００、５００のいずれかに関連して説明した特徴は、装置７００の対応する構成要素に適用することができる。さらに、装置７００の構成要素は、ハードウェア、ソフトウェア、ファームウェア、及び／又は、これらの組み合わせによって具現化することができることに留意すべきである。例えば、装置７００の構成要素は、回路、プロセッサ又は他の任意の適切な選択された装置によって実現されてもよい。この分野における当業者は、上記の実施形態は、限定されることのない一例にすぎないことを理解するであろう。
【０１２４】
本発明のいくつかの実施形態においては、装置７００は、少なくとも１つのプロセッサを有する。本発明の実施形態で使用されるに適した少なくとも１つのプロセッサは、一例として、すでに知られている又は将来開発される、汎用及び専用プロセッサをともに含むことができる。装置７００は、少なくとも１つのメモリを、さらに備える。少なくとも１つのメモリは、例えば、ＲＡＭ、ＲＯＭ、ＥＰＲＯＭ、ＥＥＰＲＯＭ及びフラッシュメモリデバイス等の半導体メモリデバイスを含んでもよい。少なくとも１つのメモリは、コンピュータで実行可能な命令を記憶するプログラムを格納するために用いることができる。プログラムは、コンパイル可能或いは機械語翻訳可能な高級プログラミング言語や低級プログラミング言語で記述することができる。実施形態によれば、コンピュータで実行可能な命令は、少なくとも１つのプロセッサを用いて、装置７００を、前述の方法３００、４００及び５００のいずれかにしたがって実行させるように構成されていてもよい。
【０１２５】
上記の説明から、この分野における当業者は、本発明の実施形態に係る方法及び／又は装置を利用すると、非正規サブフレームにおけるＭＣＳは、より正確及び適切になるため、ｅＩＣＩＣ方式の利得性能が向上することを理解するであろう。
【０１２６】
上記の説明に基づいて、この分野における当業者は、本発明が、装置、方法、コンピュータプログラム製品で実現されることを理解するであろう。一般に、様々な例示的な実施形態は、ハードウェアや専用回路、ソフトウェア、論理回路、これらの組合せで実施されてもよい。例えば、いくつかの部分がハードウェアで実現される一方で、他の部分が、コントローラ、マイクロプロセッサ、他の計算装置によって実行される、ファームウェア又はソフトウェアで実現されてもよい。ただし、本発明はこれらに限定されない。本発明の例示的な実施形態の様々な部分が、ブロック図、フローチャート、又は、いくつかの図の記載を用いることによって示される一方で、ここで示されているこれらのブロック、装置、システム、技術や方法は、以下の例に限られないが、ハードウェア、ソフトウェア、ファームウェア、専用回路又は論理回路、汎用ハードウェアやコントローラマや他の計算装置やそれらの組み合わせで実現される。
【０１２７】
図３〜５に示される様々なブロックは、方法を構成するステップ、及び／又は、コンピュータプログラムコードに沿って動作することにより得られる処理、及び／又は、関連する機能を実行するように構成された複数の論理回路要素の組み合わせとして表されている。例示された本実施形態の少なくともいくつかは、集積回路チップやモジュールのような様々の構成要素において実現される。すなわち、本発明の例示された実施形態は、装置として実現されてもよいし、例示された本実施形態のように動作するように構成されたＦＰＧＡやＡＳＩＣ等の集積回路として実現されてもよい。
【０１２８】
この明細書では、多くの実施形態の詳細が記載されているが、開示する発明の範囲、特許請求の範囲は、これらの実施形態に限定して解釈されるべきではない。明細書では、開示する発明の範囲の中の特定の発明の特定の実施形態に関する特徴が記述されているに過ぎないと解釈されるべきである。本明細書に別個の実施形態として記載されている所定の特徴は、各実施形態を組み合わせて実現することが可能である。また、逆に、１つの実施形態に記載されている様々な特徴は、複数の実施形態で別個に実現したり、或いは適宜部分的に組み合わせて実現したりすることができる。さらに、上記では各特徴が所定の組み合わせにおいて実現できるように説明され、特許請求の範囲でもそのように記載されているが、特許請求の範囲に記載された組み合わせから得られる１以上の特徴は場合によっては削除してもよい。また、特許請求の範囲に係る組み合わせとして、部分的な組み合わせや当該部分的な組み合わせの変形例を採用することができる。
【０１２９】
同様に、図では動作が特定の順序でなされるように示されているが、所望の結果を得るためには、図示されている特定の順序で順番に実行したり、又は、図示されている全ての処理を実行したりする必要があると解釈すべきではない。所定の環境においてはマルチタスク処理や並行処理を行うほうがよい。さらに、上記の実施形態では、様々なシステム要素が分離されているが、全ての実施形態において、このようにシステム要素を分離することが必要であると解釈すべきではない。また、開示されているプログラム要素やシステムは、１つのソフトウェア製品に統合したり、複合ソフトウェア製品として１つにまとめることができると解釈すべきである。
【０１３０】
関連技術分野における当業者にとっては、添付図面及び上記の説明から、例示された本実施形態に様々な修正や改変がなされてよいことは、明らかである。任意の修正例や全ての修正例は例示された非制限的な本発明の実施形態の範囲内である。さらに、本発明の実施形態の分野において上記の説明及びこれに関連する図面の示唆する利益を得る当業者であれば、本明細書に記載された他の実施形態を想到できるものと解する。
【０１３１】
したがって、開示された実施形態は、開示された具体例に限定されるものではなく、請求項を追加することにより、修正例や他の実施形態が当該請求項の範囲内に含まれることが意図されていると解釈すべきである。本明細書で使用されている用語は一般的かつ記述的な意味で使用されるものであり限定する目的で使用されるものではない。
【０１３２】
（付記１）
基地局（ＢＳ）は、ユーザ機器（ＵＥ）にサービスを提供し、セル間干渉を調整するために非正規サブフレームを使用し、前記非正規サブフレームの送信電力は、正規サブフレームの送信電力よりも低い、前記ＵＥをスケジューリングするための方法であって、
ダウンリンクパケット及び基準信号の送信電力に関する情報に基づいて、前記非正規サブフレームにおけるチャネル品質情報を調整することと、
前記ＢＳが前記非正規サブフレームにおけるターゲット変調符号化方式（ＭＣＳ）に基づいて前記ＵＥをスケジューリングするために、調整された前記チャネル品質情報に係る前記ターゲットＭＣＳを決定することと、
を含む、前記ＵＥをスケジューリングするための方法。
【０１３３】
（付記２）
ダウンリンクパケット及び基準信号の送信電力に関する情報に基づいて、前記非正規サブフレームにおけるチャネル品質情報を調整することは、
前記ＢＳから前記ＵＥに対する送信における信号対干渉雑音比（ＳＩＮＲ）を取得することと、
ダウンリンクパケット及び基準信号の送信電力に関する前記情報に基づいて、前記ＳＩＮＲを調整することと、
を含む、付記１に記載の方法。
【０１３４】
（付記３）
前記ＢＳから前記ＵＥに対する送信におけるＳＩＮＲを取得することは、
前記ＵＥによって測定されたチャネル品質標識（ＣＱＩ）を受信することと、
前記受信されたＣＱＩに対応する前記ＳＩＮＲを取得することと、
を含む、付記２に記載の方法。
【０１３５】
（付記４）
前記ＢＳから前記ＵＥに対する送信におけるＳＩＮＲを取得することは、
前記ＢＳから基準信号を受信することと、
前記受信された基準信号に基づいて前記ＳＩＮＲを測定することと、
を含む、付記２に記載の方法。
【０１３６】
（付記５）
調整された前記チャネル品質情報に係るターゲットＭＣＳを決定することは、
調整された前記チャネル品質情報に基づいて、ＣＱＩ−ＭＣＳ変換テーブルから候補ＭＣＳを選択することと、
前記候補ＭＣＳと電力制御動的範囲とに基づいて前記ターゲットＭＣＳを決定することと、
を含み、
前記電力制御動的範囲は、少なくとも１つの変調方式における少なくとも１つの動的レベルを含む付記１に記載の方法。
【０１３７】
（付記６）
前記候補ＭＣＳと電力制御範囲とに基づいて、前記ターゲットＭＣＳを決定することは、
前記電力制御範囲と、ダウンリンクパケット及び基準信号の送信電力に関する前記情報と、を比較することと、
ダウンリンクパケット及び基準信号の送信電力に関する前記情報が前記電力制御範囲を超えていることに応じて、前記ターゲットＭＣＳとして前記ＣＱＩ−ＭＣＳ変換テーブル内で最も少ない要件を有するＭＣＳを決定することと、
ダウンリンクパケット及び基準信号の送信電力に関する前記情報が前記電力制御範囲を超えていないことに応じて、ダウンリンクパケット及び基準信号の送信電力に関する前記情報が前記候補ＭＣＳの変調方式における前記動的レベルを超えていないならば、前記ターゲットＭＣＳとして前記候補ＭＣＳを決定することと、ダウンリンクパケット及び基準信号の送信電力に関する前記情報が前記候補ＭＣＳの変調方式における前記動的レベルを超えているならば、前記ターゲットＭＣＳとして前記ＣＱＩ−ＭＣＳ変換テーブル内の前記候補ＭＣＳよりも少ない要件を有するＭＣＳを決定することと、
を含み、
前記ターゲットＭＣＳは、前記候補ＭＣＳとは異なる変調方式である付記５に記載の方法。
【０１３８】
（付記７）
前記ターゲットＭＣＳを利用することによって、前記ＵＥをスケジューリングすることと、
前記スケジューリング結果に基づいて前記ＵＥに対してパケットを送信することと、
を、さらに含む付記１に記載の方法。
【０１３９】
（付記８）
ダウンリンクパケット及び基準信号の送信電力に関する前記情報に基づいて、前記ＵＥが前記ＢＳから送信されたパケットを復号するために、前記ＵＥに対して、ダウンリンクパケット及び基準信号の送信電力に関する前記情報を送信することを、さらに含む付記１に記載の方法。
【０１４０】
（付記９）
前記ターゲットＭＣＳに基づいて、ターゲットＣＱＩを取得することと、
前記ＢＳが、前記ターゲットＣＱＩに基づいて前記ターゲットＭＣＳを取得し、前記ターゲットＭＣＳを利用することによって前記ＵＥをスケジューリングし、前記スケジューリング結果に基づいて前記ＵＥに対してパケットを送信するために、前記ＢＳに対して前記ターゲットＣＱＩをレポートすることと、
を、さらに含む付記１に記載の方法。
【０１４１】
（付記１０）
前記ＢＳからダウンリンクパケット及び基準信号の送信電力に関する前記情報を受信することを、さらに含む付記１に記載の方法。
【０１４２】
（付記１１）
ダウンリンクパケット及び基準信号の送信電力に関する前記情報は、基準信号（ＲＳ）ＥＰＲＥに対する物理ダウンリンク共有チャネル（ＰＤＳＣＨ）リソースエレメントあたりのエネルギー（ＥＰＲＥ）の比を含む付記１から１０のいずれか１つの方法。
【０１４３】
（付記１２）
基地局（ＢＳ）は、ユーザ機器（ＵＥ）にサービスを提供し、セル間干渉を調整するために非正規サブフレームを使用し、前記非正規サブフレームの送信電力は、正規サブフレームの送信電力よりも低い、前記ＵＥをスケジューリングするための装置であって、
ダウンリンクパケット及び基準信号の送信電力に関する情報に基づいて、前記非正規サブフレームにおけるチャネル品質情報を調整するために構成された調整部と、
前記ＢＳが前記非正規サブフレームにおけるターゲット変調符号化方式（ＭＣＳ）に基づいて前記ＵＥをスケジューリングするために、調整された前記チャネル品質情報に係る前記ターゲットＭＣＳを決定するために構成された決定部と、
を備える、前記ＵＥをスケジューリングするための装置。
【０１４４】
（付記１３）
前記調整部は、
前記ＢＳから前記ＵＥに対する送信における信号対干渉雑音比（ＳＩＮＲ）を取得するために構成された取得手段と、
ダウンリンクパケット及び基準信号の送信電力に関する前記情報に基づいて、前記ＳＩＮＲを調整するために構成された調整手段と、
を有する、付記１２に記載の装置。
【０１４５】
（付記１４）
前記取得手段は、
前記ＵＥによって測定されたチャネル品質標識（ＣＱＩ）を受信するために構成された手段と、
前記受信されたＣＱＩに対応する前記ＳＩＮＲを取得するために構成された手段と、
を有する、付記１３に記載の装置。
【０１４６】
（付記１５）
前記取得手段は、
前記ＢＳから基準信号を受信するために構成された手段と、
前記受信された基準信号に基づいて前記ＳＩＮＲを測定するために構成された手段と、
を有する、付記１３に記載の装置。
【０１４７】
（付記１６）
前記決定部は、
調整された前記チャネル品質情報に基づいて、ＣＱＩ−ＭＣＳ変換テーブルから候補ＭＣＳを選択するために構成された選択手段と、
前記候補ＭＣＳと電力制御動的範囲とに基づいて前記ターゲットＭＣＳを決定するために構成された決定手段と、
を有し、
前記電力制御動的範囲は、少なくとも１つの変調方式における少なくとも１つの動的レベルを含む付記１２に記載の装置。
【０１４８】
（付記１７）
前記決定手段は、
前記電力制御範囲と、ダウンリンクパケット及び基準信号の送信電力に関する前記情報と、を比較するために構成された手段と、
ダウンリンクパケット及び基準信号の送信電力に関する前記情報が前記電力制御範囲を超えていることに応じて、前記ターゲットＭＣＳとして前記ＣＱＩ−ＭＣＳ変換テーブル内で最も少ない要件を有するＭＣＳを決定し、
ダウンリンクパケット及び基準信号の送信電力に関する前記情報が前記電力制御範囲を超えていないことに応じて、
ダウンリンクパケット及び基準信号の送信電力に関する前記情報が前記候補ＭＣＳの変調方式における前記動的レベルを超えていないならば、前記ターゲットＭＣＳとして前記候補ＭＣＳを決定し、
ダウンリンクパケット及び基準信号の送信電力に関する前記情報が前記候補ＭＣＳの変調方式における前記動的レベルを超えているならば、前記ターゲットＭＣＳとして前記ＣＱＩ−ＭＣＳ変換テーブル内の前記候補ＭＣＳよりも少ない要件を有するＭＣＳを決定するために構成された手段と、
を有し、
前記ターゲットＭＣＳは、前記候補ＭＣＳとは異なる変調方式である付記１６に記載の装置。
【０１４９】
（付記１８）
前記ターゲットＭＣＳを利用することによって、前記ＵＥをスケジューリングするために構成されたスケジューリング部と、
前記スケジューリング結果に基づいて前記ＵＥに対してパケットを送信する送信部と、
を、さらに有する付記１２に記載の装置。
【０１５０】
（付記１９）
ダウンリンクパケット及び基準信号の送信電力に関する前記情報に基づいて、前記ＵＥが前記ＢＳから送信されたパケットを復号するために、前記ＵＥに対して、ダウンリンクパケット及び基準信号の送信電力に関する前記情報を送信するために構成された送信部を、さらに有する付記１２に記載の装置。
【０１５１】
（付記２０）
前記ターゲットＭＣＳに基づいて、ターゲットＣＱＩを取得するために構成された取得部と、
前記ＢＳが、前記ターゲットＣＱＩに基づいて前記ターゲットＭＣＳを取得し、前記ターゲットＭＣＳを利用することによって前記ＵＥをスケジューリングし、前記スケジューリング結果に基づいて前記ＵＥに対してパケットを送信するために、前記ＢＳに対して前記ターゲットＣＱＩをレポートするために構成されたレポート部と、
を、さらに有する付記１２に記載の装置。
【０１５２】
（付記２１）
前記ＢＳからダウンリンクパケット及び基準信号の送信電力に関する前記情報を受信するために構成された受信部を、さらに有する付記１２に記載の装置。
【０１５３】
（付記２２）
ダウンリンクパケット及び基準信号の送信電力に関する前記情報は、基準信号（ＲＳ）ＥＰＲＥに対する物理ダウンリンク共有チャネル（ＰＤＳＣＨ）リソースエレメントあたりのエネルギー（ＥＰＲＥ）の比を含む付記１２から２１のいずれか１つの装置。
【図１】
2015505197.tif 000006
【図２】
2015505197.tif 000007
【図３】
2015505197.tif 000008
【図４】
2015505197.tif 000009
【図５】
2015505197.tif 000010
【図６】
2015505197.tif 000011
【図７】
2015505197.tif 000012
【国際調査報告】
2015505197.tif 000013
2015505197.tif 000014